【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
入力映像信号の現フィールド信号と、その１フィールド遅延信号との第１差分を提供する第１差分回路と、
前記第１差分回路からの前記第１差分と第１比較値とを比較し、該比較結果を１フィールド毎に加算し、該加算値と第２比較値とをフィールド毎に比較し、フィールド間第１比較結果を提供するフィールド間第１比較手段と、
前記第１差分回路からの前記第１差分と前記第１より小さな第３比較値とを比較し、該比較結果を１フィールド毎に加算し、該加算値と第４比較値とをフィールド毎に比較し、フィールド間第２比較結果を提供するフィールド間第２比較手段と、
前記フィールド間第１比較結果及びフィールド間第２比較結果に基づいて、フィールド間相関を判定し、該判定結果を”強／中／弱”のレベルで提供するフィールド間相関判定回路と、
入力映像信号の現フィールド信号と、その２フィールド遅延信号との第２差分を提供する第２差分回路と、
前記第２差分回路からの前記第２差分に基づいて、フレーム間相関を判定し、該判定結果を提供するフレーム間相関判定回路と、
フィールド間相関判定回路及びフレーム間相関判定回路の判定結果に基づいて、前記入力映像信号がプルダウン信号であるか判定するプルダウン信号判定回路と、
を具備することを特徴とするプルダウン信号検出装置。
【請求項２】
前記フィールド間相関判定回路は、前記フィールド間第１比較結果が前記第２比較値より大きい場合にフィールド間相関を弱レベルと判定し、前記フィールド間第２比較結果が前記第４比較値より小さい場合にフィールド間相関を強レベルと判定し、それ以外の場合にフィールド間相関を中レベルと判定することを特徴とする請求項１記載のプルダウン信号検出装置。
【請求項３】
前記プルダウン信号判定回路は、前記フィールド間相関判定回路の強レベル判定結果と前記フィールド間相関判定回路の中または弱レベル判定結果の複数フィールドにおける第１パターンを検出する第１パターン検出回路と、前記フィールド間相関判定回路の強または中レベル判定結果と前記フィールド間相関判定回路の弱レベル判定結果の複数フィールドにおける第２パターンを検出する第２パターン検出回路と、前記フレーム間相関判定回路の判定結果からプルダウン信号の複数フィールドにおける所定パターンを検出する第３パターン検出回路を含み、
前記第１及び第２パターン検出回路の少なくとも一方がパターン検出を示すとき、前記入力映像信号をプルダウン信号と判定することを特徴とする請求項１記載のプルダウン信号検出装置。
【請求項４】
前記プルダウン信号判定回路は、前記フィールド間相関判定回路の判定結果からプルダウン信号の複数フィールドにおける、第１パターンを検出する第１パターン検出回路と、第２パターンを検出する第２パターン検出回路と、前記判定結果における中レベル相関を検出する中レベル相関検出回路と、前記フレーム間相関判定回路の判定結果からプルダウン信号の複数フィールドにおける所定パターンを検出する第３パターン検出回路を含み、
前記第１及び第２パターン検出回路の少なくとも一方がパターンの検出を示したとき、中レベル相関検出回路が前記中レベル相関を検出している場合には、該検出されたパターンと、前記第３パターン検出回路の所定パターンが一致している場合に、前記入力映像信号をプルダウン信号と判定し、中レベル相関検出回路が前記中レベル相関を検出していない場合には、前記第３パターン検出回路の結果に関わらず、前記入力映像信号をプルダウン信号と判定することを特徴とする請求項１記載のプルダウン信号検出装置。
【請求項５】
前記プルダウン信号判定回路は、前記検出された第３パターンにおいて、相関が強レベルであるべきフィールドにおいて弱レベルとなっているとき、前記入力映像信号は非プルダウン信号であると判定することを特徴とする請求項３または４記載のプルダウン信号検出装置。
【請求項６】
前記プルダウン信号判定回路は、前フィールドにおいて前記第１パターンによりプルダウン信号と判定され、かつ、前記検出された第１パターン上、相関が中または弱レベルであるべきフィールドにおいて強レベルとなっており、かつ、前記検出された第３パターンにおいて、相関が強レベルであるべきフィールドにおいて弱レベルとなっていないとき、前記入力映像信号はプルダウン信号であるとの判定を継続し、あるいは、前フィールドにおいて前記第２パターンによりプルダウン信号と判定され、かつ、前記検出された第２パターン上、相関が弱レベルであるべきフィールドにおいて強または中レベルとなっており、かつ、前記検出された第３パターンにおいて、相関が強レベルであるべきフィールドにおいて弱レベルとなっていないとき、前記入力映像信号はプルダウン信号であるとの判定を継続することを特徴とする請求項３または４記載のプルダウン信号検出装置。
【請求項７】
入力映像信号の現フィールド信号と、その１フィールド遅延信号との第１差分を提供するステップと、
前記第１差分と第１比較値とを比較し、該比較結果を１フィールド毎に加算し、該加算値と第２比較値とをフィールド毎に比較し、フィールド間第１比較結果を提供するステップと、
前記第１差分と前記第１より小さな第３比較値とを比較し、該比較結果を１フィールド毎に加算し、該加算値と第４比較値とをフィールド毎に比較し、フィールド間第２比較結果を提供するステップと、
前記フィールド間第１比較結果及びフィールド間第２比較結果に基づいて、フィールド間相関を判定し、該判定結果を”強／中／弱”のレベルで提供するステップと、
入力映像信号の現フィールド信号と、その２フィールド遅延信号との第２差分を提供するステップと、
前記第２差分に基づいて、フレーム間相関を判定し、該判定結果を提供するステップと、
前記フィールド間相関及び前記フレーム間相関の判定結果に基づいて、前記入力映像信号がプルダウン信号であるか判定するステップと、
を具備することを特徴とするプルダウン信号検出方法。
【請求項８】
入力映像信号の現フィールド信号を１フィールド期間遅延した１フィールド遅延信号と、前記１フィールド遅延信号を更に１フィールド期間遅延した２フィールド遅延信号を提供するフィールド遅延回路と、
前記現フィールド信号、前記１フィールド遅延信号及び前記２フィールド遅延信号の少なくとも１つから第１補間信号を生成する補間信号生成回路と、
前記現フィールド信号、前記１フィールド遅延信号及び前記２フィールド遅延信号から、プルダウン信号を検出するプルダウン信号検出回路と、
前記プルダウン信号検出回路の検出結果に基づいて、前記現フィールド信号及び２フィールド遅延信号の一方を選択し、ペアフィールド信号として提供する第１セレクタと、
前記プルダウン信号検出回路の検出結果に基づいて、前記第１補間信号及び前記ペアフィールド信号の一方を選択し、第２補間信号として提供する第２セレクタと、
前記１フィールド遅延信号と前記第２補間信号とを合成し、順次走査変換信号を提供する順次走査変換回路とを具備し、
前記プルダウン信号検出回路は、
前記現フィールド信号及び前記１フィールド遅延信号に基づいてフィールド間相関を判定し、該判定結果を”強／中／弱”のレベルで提供するフィールド間相関判定手段と、
前記現フィールド信号及び前記２フィールド遅延信号に基づいてフレーム間相関を判定するフレーム間相関判定手段と、
フィールド間相関判定手段及びフレーム間相関判定手段の判定結果に基づいて、前記入力映像信号がプルダウン信号であるか判定するプルダウン信号判定手段と、
を具備することを特徴とする順次走査変換装置。
【請求項９】
前記プルダウン信号検出回路は、
前記現フィールド信号と前記１フィールド遅延信号との第１差分を提供する第１差分回路と、
前記第１差分回路からの前記第１差分と第１比較値とを比較し、該比較結果を１フィールド毎に加算し、該加算値と第２比較値とをフィールド毎に比較し、フィールド間第１比較結果を提供するフィールド間第１比較手段と、
前記第１差分回路からの前記第１差分と前記第１より小さな第３比較値とを比較し、該比較結果を１フィールド毎に加算し、該加算値と第４比較値とをフィールド毎に比較し、フィールド間第２比較結果を提供するフィールド間第２比較手段と、
前記フィールド間第１比較結果及びフィールド間第２比較結果に基づいて、フィールド間相関を判定し、該判定結果を”強／中／弱”のレベルで提供するフィールド間相関判定回路と、
入力映像信号の現フィールド信号と、その２フィールド遅延信号との第２差分を提供する第２差分回路と、
前記第２差分回路からの前記第２差分に基づいて、フレーム間相関を判定し、該判定結果を提供するフレーム間相関判定回路と、
フィールド間相関判定回路及びフレーム間相関判定回路の判定結果に基づいて、前記入力映像信号がプルダウン信号であるか判定するプルダウン信号判定回路と、
を具備することを特徴とする請求項８記載の順次走査変換装置。
【請求項１０】
前記フィールド間相関判定回路は、前記フィールド間第１比較が前記第２比較値より大きい場合にフィールド間相関を弱レベルと判定し、前記フィールド間第２比較結果が前記第４比較値より小さい場合にフィールド間相関を強レベルと判定し、それ以外の場合にフィールド間相関を中レベルと判定することを特徴とする請求項９記載の順次走査変換装置。
【請求項１１】
前記プルダウン信号判定回路は、前記フィールド間相関判定回路の強レベル判定結果と前記フィールド間相関判定回路の中または弱レベル判定結果の複数フィールドにおける第１パターンを検出する第１パターン検出回路と、前記フィールド間相関判定回路の強または中レベル判定結果と前記フィールド間相関判定回路の弱レベル判定結果の複数フィールドにおける第２パターンを検出する第２パターン検出回路と、前記フレーム間相関判定回路の判定結果からプルダウン信号の複数フィールドにおける所定パターンを検出する第３パターン検出回路を含み、
前記第１及び第２パターン検出回路の少なくとも一方がパターン検出を示すとき、前記入力映像信号をプルダウン信号と判定することを特徴とする請求項９記載の順次走査変換装置。